【事件の表示】
　特願２００１−　６６５８１「パチンコ遊技機」拒絶査定不服審判事件〔平成１３年　８月２８日出願公開、特開２００１−２３１９８１〕について、次のとおり審決する。
【結　論】
　本件審判の請求は、成り立たない。
【理　由】
第１．手続の経緯　
　本願は、平成１０年４月２２日に出願した特願平１０−１１２２２５号の一部を平成１３年３月９日に新たな出願としたものであり、平成１６年２月２４日付の拒絶理由通知に対して同年４月１５日付で手続補正がなされ、これに対し、平成１７年１月１１日付で拒絶査定がなされ、これに対し、同年２月２日に拒絶査定不服の審判請求がなされるとともに同日付で手続補正がなされたものである。
　
　
第２．平成１７年２月２日付の手続補正についての補正却下の決定　
〔補正却下の決定の結論〕　
　平成１７年２月２日付の手続補正（以下、「本件補正」という。）を却下する。　
　
［理由］　
【１】本件補正の内容と補正の適否　
　本件補正により、特許請求の範囲の請求項１は、平成１６年４月１５日付手続補正により補正された特許請求の範囲の請求項１に記載された
「【請求項１】　遊技盤面に設けられる図柄表示装置の表示画面に大当たり図柄が表示されることにより遊技者に特別の利益が付与される大当たりが発生するパチンコ機において、
　前記大当たり図柄には、普通大当たり図柄と特定大当たり図柄とが設けられ、前記普通大当たり図柄でもって、大当たりが発生した場合には、次回大当たりが発生する抽選確率には、大当たりが発生する確率の低い低確率が設定され、一方、前記特定大当たり図柄でもって大当たりが発生した場合には、次回大当たりが発生する抽選確率には、大当たりが発生する確率の高い高確率が設定されるものであり、
　前記図柄表示装置には大当たりの発生中にデモ画面が表示されると共に、該デモ画面に表示される表示図柄によって次回大当たりが発生する抽選確率が変動することによる利益を付与するか否かの抽選を行う確率変動復活手段を備え、
　前記大当たりの発生が図柄表示装置の表示画面に前記普通大当たり図柄が表示されたことによるものであっても、前記確率変動復活手段により大当たり抽選確率を高確率に移行可能としたことを特徴とするパチンコ遊技機。」から、　
「【請求項１】　遊技盤面に設けられる図柄表示装置の表示画面に大当たり図柄が表示されることにより遊技者に特別の利益が付与される大当たりが発生するパチンコ機において、
　前記大当たり図柄には、普通大当たり図柄と特定大当たり図柄とが設けられ、前記普通大当たり図柄でもって大当たりが発生した場合には、次回大当たりが発生する抽選確率には、大当たりが発生する確率の低い低確率の遊技内容が設定され、一方、前記特定大当たり図柄でもって大当たりが発生した場合には、次回大当たりが発生する抽選確率には、大当たりが発生する確率の高い高確率の遊技内容が設定されるものであり、
　前記図柄表示装置には大当たりの発生中にデモ画面が表示されると共に、該デモ画面に表示される表示図柄によって次回大当たりが発生する抽選確率が変動することによる利益を付与するか否かの抽選を行う確率変動復活手段を備え、
　前記大当たりの発生が図柄表示装置の表示画面に前記普通大当たり図柄が表示されたことにより前記低確率が設定されたものであっても、先に設定された前記低確率の遊技内容が前記確率変動復活手段により前記高確率の遊技内容に切換え可能としたことを特徴とするパチンコ遊技機。」
へと補正された。　
　
　本件補正により特許請求の範囲の請求項１にした補正は、普通大当たり図柄で大当たりが発生した場合に設定される「大当たりが発生する確率の低い低確率」を、「大当たりが発生する確率の低い低確率の遊技内容」に限定するとともに、特定大当たり図柄で大当たりが発生した場合に設定される「大当たりが発生する確率の高い高確率」を、「大当たりが発生する確率の高い高確率の遊技内容」に限定し、また、確率変動復活手段によってもたらされる「高確率」への「移行」を、「先に設定された（前記）低確率の遊技内容」の「高確率の遊技内容」への「切換え」に限定するものであるが、いずれの限定も、発明特定事項の下位概念化に当たり、平成１８年改正前特許法第１７条の２第４項第２号に規定する「特許請求の範囲の減縮（第三十六条第五項の規定により請求項に記載した発明を特定するために必要な事項を限定するものであって、その補正前の当該請求項に記載された発明とその補正後の当該請求項に記載される発明の産業上の利用分野及び解決しようとする課題が同一であるものに限る。）」を目的としたものに該当するから、以下、本件補正後の請求項１に記載された発明（以下、「本願補正発明」という。）が特許出願の際に独立して特許を受けることができるものであるか（平成１８年改正前特許法第１７条の２第５項において準用する同法第１２６条第５項の規定に適合するか）否かを検討する。　
　
　
【２】独立特許要件の適否　
［１］引用例に記載の発明　
　原査定の拒絶の理由に引用された刊行物である、平成１０年２月９日発行の「パチンコ必勝ガイド　爆裂年鑑‘９８，　白夜書房」（以下、「引用例」という。）には、下記（ア）乃至（ウ）に摘示する事項が記載されている。
（ア）「確変への突入は一般的な機種が絵柄によって決定されるのに対し、この機種では絵柄が３つ揃いとなって大当りが確定した直後に行われるようになっている。アタッカーが開く前、画面に「確率変動抽選中」と表示されるとともに寛平ちゃんが現れてくるくると回り、前向きで停止すれば確変、後向きだった場合は残念ながら通常大当りだ。ただし大当り絵柄が３・７の場合は確変、４・６の場合は通常大当りが、それぞれ確定するようになっている。」（第４１頁第２段２〜１３行）
（イ）「大当り絵柄は１２種類　３・７なら１００％確変突入だ。」（第４１頁左上の枠囲み内）
（ウ）「吉本新喜劇がデジパチとして登場」（第４１頁上段右の枠囲み内）
　
　また、引用例の第４０頁〜第４３頁に図面とともに記載され、上記（ア）乃至（ウ）に摘示した記載により動作態様等が説明される「ＣＲ寛平笑劇場Ｖ５」は、デジパチと通称され、遊技盤面に設けられる図柄表示装置の表示画面に大当り絵柄が表示されることにより遊技者に特別の利益が付与される大当りが発生するパチンコ遊技機の一機種であることが把握できる。
　
　よって、引用例には、以下の発明（以下、「引用発明」という。）が図面とともに記載されていると認められる。
「遊技盤面に設けられる図柄表示装置の表示画面に大当り絵柄が表示されることにより遊技者に特別の利益が付与される大当りが発生するパチンコ遊技機において、
　大当りが確定した直後に、図柄表示装置の画面に、確率変動抽選中という表示とともに現れてくるくると回るキャラクター（寛平ちゃん）が、前向きで停止すれば確変、後向きだった場合は通常大当りとなり、１２種類ある大当り絵柄のうち、３・７の大当り絵柄の場合は確変が確定し、４・６の大当り絵柄の場合は通常大当りが確定するようになっているパチンコ遊技機。」　
　　
［２］本願補正発明について
（１）本願補正発明と引用発明との対比　
（ア）本願補正発明と引用発明とを対比すると、引用発明の「大当り絵柄」は、本願補正発明の「大当たり図柄」に相当し、以下同様に、
　「パチンコ遊技機」は、「パチンコ機」に、
　「画面」は、「デモ画面」に、
　「現れる」は、「表示される」に、
　「キャラクター（寛平ちゃん）」は、「表示図柄」に、
　「３・７の大当り絵柄」は、「特定大当たり図柄」に、それぞれ相当する。　
　
（イ）引用発明は、「キャラクター（寛平ちゃん）が、前向きで停止すれば確変、後向きだった場合は通常大当りとな」る構成を備えたものであるが、ここで、「確変」となることが、次回大当りが発生する抽選確率に「大当りが発生する確率の高い高確率の遊技内容」を「設定」することを伴い、「通常大当り」となることが、次回大当りが発生する抽選確率に「大当りが発生する確率の低い低確率の遊技内容」を「設定」することを伴うのは、当業者にとって自明の事項である。
　そして、引用発明における「１２種類ある大当り絵柄」のうち、「３・７の大当り絵柄」が、本願補正発明の「特定大当たり図柄」に相当することは、前記（ア）に示したとおりであり、「３・７の大当り絵柄」を除いた計１０種類の大当り絵柄（「４・６の大当り絵柄」を含む）は、その表示がされると、「通常大当りが確定する」若しくは「通常大当りとな」る場合があるのだから、本願補正発明における「普通大当たり図柄」に対応するものである。
　そうすると、引用発明は、本願補正発明と同様の、「大当たり図柄には、普通大当たり図柄と特定大当たり図柄とが設けられ、前記普通大当たり図柄でもって大当たりが発生した場合には、次回大当たりが発生する抽選確率には、大当たりが発生する確率の低い低確率の遊技内容が設定され、一方、前記特定大当たり図柄でもって大当たりが発生した場合には、次回大当たりが発生する抽選確率には、大当たりが発生する確率の高い高確率の遊技内容が設定される」構成を、実質的に備えたものであるといえる。
　
（ウ）引用発明は、「大当りが確定した直後に、画面に、確率変動抽選中という表示とともに現れてくるくると回るキャラクター（寛平ちゃん）が、前向きで停止すれば確変、後向きだった場合は通常大当りとな」る構成を備えたものである。
　ここで、「確率変動抽選中という表示とともに現れてくるくると回るキャラクター（寛平ちゃん）」（表示図柄）が、「前向き」で停止するか「後向き」かによって、「確変」か「通常大当り」かが決まることは、当該「キャラクター（寛平ちゃん）」の表示によって「確変」を付与するか否かの抽選結果が報知されることに外ならず、また、前記「確変」が、次回大当たりが発生する抽選確率が変動することによる利益の付与のことを意味することは、当業者にとって自明であるから、引用発明は、「表示図柄によって次回大当たりが発生する抽選確率が変動することによる利益を付与する」か否かの抽選結果を報知する手段を備えているといえる。そして、引用発明に、前記の如くの抽選結果を報知する手段が備えられているのであれば、抽選結果を報知する前提として欠くことができない、抽選を行う手段が備えられていることもまた、当業者にとって自明である。
　次に、引用発明の画面における前記「キャラクター（寛平ちゃん）」の表示は、大当りが確定した直後に「現れ」てから、確変か通常大当りかが決まる「停止」をするまでに、所定時間継続する（「くるくると回る」表示がされている時間がこれにあたる）ものであるといえるが、本願補正発明におけるデモ画面の表示もまた、大当たりが発生した瞬間を起点としてある程度の時間的な幅を持ったものとして把握される「大当たりの発生中」に行われるものであることから、いずれの表示も、「大当たりの発生中」に行われる点で実質的に相違しない。
　そうすると、引用発明は、本願補正発明と同様の、「大当たりの発生中にデモ画面が表示されると共に、該デモ画面に表示される表示図柄によって次回大当たりが発生する抽選確率が変動することによる利益を付与するか否かの抽選を行う手段」を構成として実質的に備えたものであるといえる。
　
（エ）引用発明において、「３・７の大当り絵柄」を除いた計１０種類の大当り絵柄（「４・６の大当り絵柄」を含む）が、本願補正発明における「普通大当たり図柄」に対応することは、前記（イ）に示したとおりであるが、これら計１０種類の大当り絵柄のうち、「４・６の大当り絵柄」をさらに除いた計８種類の大当り絵柄が表示された場合は、「キャラクター（寛平ちゃん）」の表示によって「確変」となる場合があり、この表示による、「確変」、すなわち高確率の遊技内容への切換え（復活）は、前記（ウ）で説示したように、引用発明が備える、デモ画面に表示される表示図柄によって次回大当たりが発生する抽選確率が変動することによる利益を付与するか否かの抽選を行う手段（「確率変動復活手段」と言い換えることができる。）に依るのだから、引用発明は、「大当たりの発生が図柄表示装置の表示画面に普通大当たり図柄が表示されたことにより低確率が設定されたものであっても、一部の普通大当たり図柄による場合を除いては、先に設定された前記低確率の遊技内容が確率変動復活手段により高確率の遊技内容に切換え可能とした」構成を実質的に備えたものであるといえる。
　
　そうすると、本願補正発明と引用発明とは、
「遊技盤面に設けられる図柄表示装置の表示画面に大当たり図柄が表示されることにより遊技者に特別の利益が付与される大当たりが発生するパチンコ機において、
　前記大当たり図柄には、普通大当たり図柄と特定大当たり図柄とが設けられ、前記普通大当たり図柄でもって大当たりが発生した場合には、次回大当たりが発生する抽選確率には、大当たりが発生する確率の低い低確率の遊技内容が設定され、一方、前記特定大当たり図柄でもって大当たりが発生した場合には、次回大当たりが発生する抽選確率には、大当たりが発生する確率の高い高確率の遊技内容が設定されるものであり、
　前記図柄表示装置には大当たりの発生中にデモ画面が表示されると共に、該デモ画面に表示される表示図柄によって次回大当たりが発生する抽選確率が変動することによる利益を付与するか否かの抽選を行う確率変動復活手段を備えたパチンコ遊技機。」の点で一致し、以下の点で相違する。
　
　相違点．本願補正発明は、「（前記）大当たりの発生が図柄表示装置の表示画面に（前記）普通大当たり図柄が表示されたことにより（前記）低確率が設定されたものであっても、先に設定された前記低確率の遊技内容が（前記）確率変動復活手段により前記高確率の遊技内容に切換え可能とした」構成を備えているのに対し、引用発明は、前記構成については、「一部の普通大当たり図柄による場合を除」いて切換え可能としたものである点。
　
（２）相違点についての判断　
　引用発明は、「一部の普通大当たり図柄」が表示されると、低確率の遊技内容の設定が確定するものであるが、一部を除いた普通大当たり図柄が表示された場合において遊技内容を切換え可能とした点を、「一部の普通大当たり図柄」が表示された場合に採用すること、言い換えれば、表示されることにより低確率の遊技内容の設定が確定してしまう普通大当たり図柄をなくすことは、当業者であれば容易に想到し得る事項である。
　
（３）本願補正発明の作用効果の検討　
　本願補正発明の作用効果は、上記引用発明に基づいて当業者が当然予測できるものである。　
　　
（４）むすび　
　よって、本件補正後の請求項１に記載された本願補正発明は、上記引用発明に基づいて当業者が容易に発明をすることができたものであり、特許法第２９条第２項の規定により、その特許出願の際に独立して特許を受けることができない。　
　
　
［３］補正の却下の決定のむすび
　以上のとおりであるから、本件補正は、平成１８年改正前特許法第１７条の２第５項において準用する同法第１２６条第５項の規定に違反するので、特許法第１５９条第１項の規定において読み替えて準用する同法第５３条第１項の規定により却下すべきものである。　
　
　
第３．本願発明について　　
【１】本願発明　
　本願の請求項１に係る発明は、平成１７年２月２日付の手続補正が上記のとおり却下されているので、平成１６年４月１５日付の手続補正により補正された明細書及び図面の記載からみて、その特許請求の範囲の請求項１に記載された事項により特定される以下のとおりのものである（以下、「本願発明」という。）。　
「【請求項１】　遊技盤面に設けられる図柄表示装置の表示画面に大当たり図柄が表示されることにより遊技者に特別の利益が付与される大当たりが発生するパチンコ機において、
　前記大当たり図柄には、普通大当たり図柄と特定大当たり図柄とが設けられ、前記普通大当たり図柄でもって、大当たりが発生した場合には、次回大当たりが発生する抽選確率には、大当たりが発生する確率の低い低確率が設定され、一方、前記特定大当たり図柄でもって大当たりが発生した場合には、次回大当たりが発生する抽選確率には、大当たりが発生する確率の高い高確率が設定されるものであり、
　前記図柄表示装置には大当たりの発生中にデモ画面が表示されると共に、該デモ画面に表示される表示図柄によって次回大当たりが発生する抽選確率が変動することによる利益を付与するか否かの抽選を行う確率変動復活手段を備え、
　前記大当たりの発生が図柄表示装置の表示画面に前記普通大当たり図柄が表示されたことによるものであっても、前記確率変動復活手段により大当たり抽選確率を高確率に移行可能としたことを特徴とするパチンコ遊技機。」 
　　
【２】特許法第２９条２項の適用
［１］引用例に記載の発明　
　原査定の拒絶の理由に引用された引用例（平成１０年２月９日発行の「パチンコ必勝ガイド　爆裂年鑑‘９８，　白夜書房」）に記載の発明は、上記第２．【２】［１］に記載したとおりである。
　
　
［２］対比・判断
　本願発明は、本願補正発明において、普通大当たり図柄で大当たりが発生した場合に設定される「大当たりが発生する確率の低い低確率」を、「大当たりが発生する確率の低い低確率の遊技内容」に限定し、また、特定大当たり図柄で大当たりが発生した場合に設定される「大当たりが発生する確率の高い高確率」を、「大当たりが発生する確率の高い高確率の遊技内容」に限定し、さらに、確率変動復活手段によってもたらされる「高確率」への「移行」を、「先に設定された（前記）低確率の遊技内容」の「高確率の遊技内容」への「切換え」に限定した事項を省いたものである。
　そうすると、本願発明の構成要素を全て含むものに相当する本願補正発明が、上記第２．【２】［２］に説示したように、引用発明に基づいて、当業者が容易に発明をすることができたものであるから、本願発明は、同様の理由により、引用発明に基づいて、当業者が容易に発明をすることができたものである。
　
　
［３］むすび　
　以上のとおり、本願発明は、引用発明に基づいて、当業者が容易に発明をすることができたものであるから、特許法第２９条第２項の規定により特許を受けることができない。　
　したがって、本願は拒絶すべきものである。　
　
　よって、結論のとおり審決する。